(57)【要約】      （修正有）【課題】  ミニＦＭ放送を利用して災害時対策としての緊急放送を行う送、受信装置の提供。【解決手段】  受信装置は、ＦＭ放送電波を受信するアンテナ１０１ａおよびケーブルテレビジョン回線に接続可能なＦ型アンテナ１０１ｂを有し、放送信号中に含まれる所定トーン信号を検出すると大出力モードで動作し、復帰スイッチの操作により大出力モードを取り消すようにする。そして、照明装置１１５，１１６により緊急放送時のフラッシュ点灯、および復帰スイッチの更なる操作により連続点灯を行う。緊急広報用送信装置は、防災対策室装置が、緊急放送を行う際に投入されるスイッチＳＷおよびマイクロフォンＭＩＣを有し、この防災対策室装置に回線を介して送信装置が接続されている。そして、スイッチの投入により所定トーン信号を形成し、ミキサによりマイクロフォンによる音声信号と混合した信号を形成し、このミキサの出力をＦＭ放送電波として送出する。【選択図】  図１
2007013854.tif 000002
【特許請求の範囲】
【請求項１】
ＦＭ放送電波を受信するアンテナおよびケーブルテレビジョン回線に接続可能なＦ型アンテナを有するアンテナ装置と、
前記アンテナ装置により受信した放送信号を検出するＦＭチューナと、
前記放送信号中に含まれる所定トーン信号を検出してトーン判定信号を形成するトーン検出装置と、
前記トーン判定信号が与えられると保持動作し、保持出力を形成する保持回路と、
操作に応じて前記保持回路の保持動作を解除する復帰スイッチと、
前記ＦＭチューナの出力信号を音量調整した信号を出力するとともに、前記保持出力が与えられているとき大出力モードで動作し、前記出力信号を大幅に増幅して出力する音量調整回路と、
前記音量調整回路の出力に応じた音声を発する発音装置と、
をそなえた緊急広報用受信装置。
【請求項２】
請求項１記載の緊急広報用受信装置において、
前記トーン検出装置は、
予め定められた複数のトーン信号中の任意数のものを選択して設定信号を形成するトーン設定手段と、
前記放送信号と前記設定信号とが一致したとき出力を生じるトーン判定回路と
を有することを特徴とする緊急広報用受信装置。
【請求項３】
請求項１記載の緊急広報用受信装置において、
前記保持回路の保持出力が与えられてフラッシュ発光し、前記保持出力が消失するとともに、前記復帰スイッチの操作が行われると連続発光する照明装置をそなえたことを特徴とする緊急広報用受信装置。
【請求項４】
請求項１記載の緊急広報用受信装置において、
前記受信装置は、壁掛けおよび据え置き可能なケースに収容されていることを特徴とする緊急広報用受信装置。
【請求項５】
請求項１記載の緊急広報用受信装置において、
前記ＦＭチューナ、音量調整回路、トーン検出装置および発音装置の少なくとも一つは、省エネルギ型であることを特徴とする緊急広報用受信装置。
【請求項６】
緊急放送を行う際に投入されるスイッチ、およびマイクロフォンを有する防災対策室装置と、
回線を介して前記防災対策室装置に接続され、前記スイッチの投入により所定トーン信号を形成するトーン信号発生器、このトーン信号発生器からのトーン信号と前記マイクロフォンによる音声信号とを混合した信号を形成するミキサ、およびこのミキサの出力をＦＭ電波として送出する送信装置と
をそなえた緊急広報用送信装置。
【発明の詳細な説明】
【技術分野】
【０００１】
本発明は、緊急広報用放送の送、受信装置に係わり、とくにミニＦＭ放送を利用した送、受信装置に関する。
【背景技術】
【０００２】
災害発生時の対策としては、まず緊急広報を行うことが必要とされる。そして、自然災害であるにせよ、それ以外であるにせよ、災害は比較的小さな地域に限られる。
【０００３】
広報用媒体としては、放送が適しているが、広域放送では対象地域が広過ぎる。比較的小さな地域に適した広報用媒体としては、防災無線システム、ケーブルテレビジョン、ミニＦＭ放送局がある。
【０００４】
防災無線システムは、その機能は優れているが、ネットワークの準備が必要で端末等が高価である上に法的手続が煩雑であるため、普及に限度がある。しかも、屋外の拡声スピーカとか電光掲示板等は、台風や大雨という状況下では殆ど役に立たないものである。
【０００５】
一方、ケーブルテレビジョンは、災害後の細部にわたる情報提供には極めて適しているが、電柱倒壊等により停電、停波が発生すると機能しなくなる。
【発明の開示】
【発明が解決しようとする課題】
【０００６】
上記両者に比較して、ミニＦＭ局は電波を媒体とするため、放送がされていれば携帯ラジオや自動車ラジオでも聴取できる。
【０００７】
しかし、電源スイッチが切れている場合があるとか、同調周波数がずれている場合があり、広報が行き届かないことがある。
【０００８】
本発明は、上述の点を考慮してなされたもので、ミニＦＭ放送を利用して災害時対策としての緊急放送を行う送、受信装置を提供することを目的とする。
【課題を解決するための手段】
【０００９】
上記目的達成のため、本発明では、
ＦＭ放送電波を受信するアンテナおよびケーブルテレビジョン回線に接続可能なＦ型アンテナを有するアンテナ装置と、前記アンテナ装置により受信した放送信号を検出するＦＭチューナと、前記放送信号中に含まれる所定トーン信号を検出してトーン判定信号を形成するトーン検出装置と、前記トーン判定信号が与えられると保持動作し、保持出力を形成する保持回路と、操作に応じて前記保持回路の保持動作を解除する復帰スイッチと、前記ＦＭチューナの出力信号を音量調整した信号を出力するとともに、前記保持出力が与えられているとき大出力モードで動作し、前記出力信号を大幅に増幅して出力する音量調整回路と、前記音量調整回路の出力に応じた音声を発する発音装置と、をそなえた緊急広報用受信装置、および
緊急放送を行う際に投入されるスイッチ、および音声信号を形成するマイクロフォンを有する防災対策室装置と、前記防災対策室装置に回線を介して接続され、前記スイッチの投入により所定トーン信号を形成するトーン信号発生器、このトーン信号発生器からのトーン信号と前記マイクロフォンによる音声信号とを混合した信号を形成するミキサ、およびこのミキサの出力をＦＭ電波として送出する送信装置とをそなえた緊急広報用送信装置、
を提供するものである。
【発明の効果】
【００１０】
本発明は上述のように、所定トーン信号によって大音量で自動受信するＦＭ受信装置、および所定トーン信号とともにＦＭ緊急放送を行う送信装置を用いて緊急放送の送、受信を行うこととしたため、災害への対応性が高く、効果的な緊急広報を行うことができる。
【発明を実施するための最良の形態】
【００１１】
以下、添付図面を参照して本発明の実施態様を説明する。
【実施形態１】
【００１２】
図１は、本発明に係る緊急放送受信用のＦＭ受信装置の一実施形態を示すブロック線図である。この受信装置は、常時は電源のオン、オフを行いかつ音量調整を行って、所要時に通常放送を任意音量で受信するものであるが、同一ＦＭ電波により緊急放送が始まると自動的に電源が投入されて大音量での受信に切り替わる。併せて、緊急放送であることを視覚表示することもできる。
【００１３】
このために、電源はバッテリーを有し、常時はバッテリーに充電しており、災害発生により停電しても受信を継続できるようにしている。そして、緊急放送の受信後に復帰操作をすると、任意音量での放送受信に戻る。
【００１４】
アンテナは、電波受信用アンテナ１０１ａおよびケーブルテレビジョン受信用のＦ型コネクタに接続するＦ型アンテナ１０１ｂを有する。電波受信用アンテナ１０１ａの受信信号は直接、またＦ型アンテナ１０１ｂの受信信号はフィルタ１０２を介して混合回路１０３に与えられ、混合回路１０３からＦＭチューナ１０４に与えられる。これにより、いずれのルートからの放送でも受信できるから、緊急放送をより確実に受信することができる。
【００１５】
ＦＭチューナ１０４により取り出された音声信号は音量調整回路であるアンプ１０５に与えられ、スイッチ付きボリューム１０６のスイッチ１０６ａがオンであるとき、可変抵抗１０６ｂの設定位置で定まる音量の信号をアンプ１０５から発音装置であるスピーカ１０７に送出する。
【００１６】
一方、ＦＭチューナ１０４の検出信号は、トーン判定装置１１１およびトーン設定スイッチ１１２をそなえたトーン検出装置に与えられる。そして、検出信号が、トーン判定回路１１１に与えられてトーン設定スイッチ１１２により予め設定されているトーン設定信号と一致するか否かが判定される。トーン設定スイッチ１１２は、例えば電話用トーン信号中の５つを選択することで５桁の設定ができる。
【００１７】
トーン判定回路１１１が一致判定すると、一致出力を保持回路１１３に与えて保持動作を行わせ、保持出力を照明回路１１５、電源オンスイッチ１１７および音量増大スイッチ１１８に与える。これにより、アンプ１０５はオンとなりしかも最大音量または大音量で信号増幅を行い、スピーカ１０７から音声出力する。また、照明装置では、照明回路１１５が発光ダイオード１１６をフラッシュ発光させる。このとき、保持出力は、外部出力端子ＯＵＴにも与えられているから外部に取り出すことができる。
【００１８】
すなわち、所定の緊急放送が行われると、トーン判定回路１１１が一致判定を行ってスピーカ１０７から緊急放送を大音声で出力するとともに、発光ダイオード１１６のフラッシュ発光によっても緊急放送であることを表示する。したがって、この受信装置からある程度の距離にいる人々は、視覚、聴覚両方により緊急放送のあることを知ることができる。
【００１９】
緊急放送を受信した後は、復帰スイッチ１１４を操作すると、保持回路１１３がリセットされて保持出力を生じなくなる。このとき、照明回路１１５には、復帰スイッチ１１４から切替信号が与えられるから、発光ダイオード１１６をフラッシュ発光から連続発光に切り替える。この状態では、発光ダイオード１１６の発光を照明として利用することができる。そして、復帰スイッチ１１４を更にもう一度操作すると、更なる切替信号が照明回路１１４に与えられて照明回路１１４の出力が消失し、発光ダイオード１１６が消灯する。
【００２０】
この受信装置は、不意の緊急放送に対応するため、電源回路にはバッテリーを備え、このバッテリーに商用電源を利用した充電を行っており、災害発生により商用電源からの給電が停止しても、所定時間は放送を受信できるようになっている。
【００２１】
図２は、本発明に係る緊急放送用のＦＭ送信装置の一実施形態を示すブロック線図である。この装置は、例えば地方自治体の防災対策室に設置された防災対策室装置２１０と、この防災対策室２１０からの緊急放送信号に基づきＦＭ放送を送信する送信装置２２０とを有する。
【００２２】
防災対策室装置２１０には、緊急放送を行う際に投入されるスイッチＳＷ、およびマイクロフォンＭＩＣが設けられている。そして、この防災対策室装置２１０は、電話回線等の回線を介して送信装置２２０に接続されている。
【００２３】
送信装置２２０には、スイッチＳＷの投入により所定トーン信号を形成するトーン信号発生器２２１、このトーン信号発生器２２１からのトーン信号とマイクロフォンＭＩＣによる音声信号とを混合した信号を形成するミキサ２２２、このミキサの出力をＦＭ電波として送出する送信機２２３および送信アンテナ２２４が設けられている。
【００２４】
このアンテナについても、電波用アンテナ２２４ａおよびＦ型アンテナ２２４ｂの両方を用意しておくとよい。そして、防災対策室装置２１０および送信装置２２０は、緊急放送用設備であるから、電源は停電対策が施されたものとする。
【００２５】
トーン信号発生器２２１により発生するトーン信号は、例えば単一トーンのチップを２以上使って複数トーンを組み合わせたものとしたり、電話のトーン信号用のチップを利用して形成したものとしたりすればよい。後者は、前者よりも誤動作が少ない。
【実施形態２】
【００２６】
本発明に係る緊急広報用受信装置は、緊急時に使用することが予定されるため、必ずしも室内の所定場所だけではなく種々の場所に設置できる必要があり、壁掛けおよび据え置きが可能なケースに収容されていることが望ましい。
【実施形態３】
【００２７】
本発明に係る緊急広報用受信装置は、停電の際、バッテリー給電でできるだけ長時間使用し得ることを考慮し、装置の消費電力が少ないことが望ましい。そのため、ＦＭチューナ、音量調整回路、トーン検出回路および発音装置等は、省エネルギ型に構成することが望ましい。
【図面の簡単な説明】
【００２８】
【図１】本発明に係る緊急放送受信装置の一実施形態の構成を示すブロック線図。
【図２】本発明に係る緊急放送送信装置の一実施形態の構成を示すブロック線図。
【符号の説明】
【００２９】
１０１ａ  電波受信アンテナ
１０１ｂ  Ｆ型アンテナ
１０２  フィルタ
１０３  混合回路
１０４  ＦＭチューナ
１０５  アンプ
１０６  スイッチ付きボリューム
１０７  スピーカ
１１１  トーン判定回路
１１２  トーン設定スイッチ
１１３  保持回路
１１４  復帰スイッチ
１１５  照明回路
１１６  発光ダイオード
１１７  電源オンスイッチ
１１８  音量増大スイッチ
２１０  防災対策室装置
２２０  送信装置
２２１  トーン信号発生装置
２２２  ミキサ
２２３  送信機
２２４ａ  電波送信用アンテナ装置
２２４ｂ  Ｆ型アンテナ
【図１】
2007013854.tif 000003
【図２】
2007013854.tif 000004